(57)【要約】【課題】安定した保持状態とすることができ、スリーブ４の他方開放端部の把持力が一方開放端部の把持力に拘束されず十分にプラグフェルール１０に伝わり、プラグフェルール１０とファイバスタブ１の位置関係が安定することになり、接続損失の変動がなくなる。【解決手段】フェルールの貫通孔に光ファイバを固定したファイバスタブと、該ファイバスタブの先端部を一方の開放端部から挿入するとともに、他方の開放端部から挿入する先端がＣ面に形成されたプラグフェルールが上記ファイバスタブの先端面で当接し、かつ、把持するためのスリーブとを備えた光レセプタクルにおいて、上記スリーブに、他方の開放端部から長手方向の中央部にかけて、その幅が上記他方の開放端部よりも中央部が広いスリットを形成する。【選択図】図１
2005181903.tif 000002
【特許請求の範囲】
【請求項１】
フェルールの貫通孔に光ファイバを固定したファイバスタブと、該ファイバスタブの先端部が一方の開放端部から挿入されるとともに、他方の開放端部からプラグフェルールの先端側を挿入して上記ファイバスタブの先端面に当接・把持させるためのスリーブとを備えた光レセプタクルにおいて、上記スリーブに、他方の開放端部から長手方向の中央部にかけて、その幅が上記他方の開放端部よりも中央部が広いスリットが形成されていることを特徴とする光レセプタクル。
【請求項２】
上記スリットの幅が上記ファイバスタブの先端付近で広くなっていることを特徴とする請求項１に記載の光レセプタクル。
【請求項３】
上記スリットの幅が、上記ファイバスタブの先端位置から該ファイバスタブの先端部に当接するプラグフェルールの先端周縁部に形成されたＣ面の開始位置にかけて広くなっていることを特徴とする請求項１または２記載の光レセプタクル。
【請求項４】
上記スリーブの内径を、上記ファイバスタブの挿入領域と上記プラグフェルールの挿入領域とで異ならせたことを特徴とする請求項1〜３のいずれかに記載の光レセプタクル。
【請求項５】
上記スリーブとファイバスタブは圧入もしくは接着により固定することを特徴とする請求項1〜４のいずれかに記載の光レセプタクル。
【請求項６】
上記スリーブにジルコニアセラミックスを用いたことを特徴とする請求項1〜５のいずれかに記載の光レセプタクル。
【請求項７】
請求項１〜６の何れかに記載の光レセプタクルの上記ファイバスタブの後端部から光信号を出射する光素子を収納したケースを取り付けたことを特徴とする光モジュール。
【発明の詳細な説明】
【技術分野】
【０００１】
本発明は、光レセプタクルとこれを用いた光モジュールに関するものである。
【背景技術】
【０００２】
光信号を電気信号に変換するための光モジュールは、半導体レーザーやフォトダイオード等の光素子をケース内に収納し、光ファイバを通じて光信号を導入又は導出するような構造となっている（特許文献１参照）。
【０００３】
上記光モジュールのうちコネクタを接続するようにしたレセプタクル型の光モジュールは、図５に示すような光レセプタクル１４の一端にＬＤ等の光素子２２を備えるとともに、他端に光コネクタ（ＳＣコネクタ等）のプラグフェルール１５を接続するものである。
【０００４】
上記光レセプタクル１４は、ジルコニア、アルミナ等のセラミック材料からなるフェルール１７と、フェルール１７の貫通孔に石英ガラス等からなる光ファイバ１８を挿入固定して得られたファイバスタブ１６の後端側をホルダ２０に圧入により固定し、先端側をスリーブ１９の一方開放端部の内孔に挿入して把持する。そして、それをスリーブケース２１に圧入又は接着固定することによって構成されている。
【０００５】
さらに上述の光レセプタクル１４を用いて光モジュールを構成する場合は、光レセプタクル１４に備えたファイバスタブ１６の後端面側に、上述のような光素子２２にレンズ２３を備えたケース２４を溶接により接合し、スリーブ１９の他方の開放端部からプラグフェルール１５を挿入し、ファイバスタブ１６の端面（光ファイバ１８の端面）に当接させ、光信号のやりとりを行うことができる。
【０００６】
近年、高密度実装の要求から光モジュールの小型化が求められており、光レセプタクル１４の全長も短くすることが求められている。また光レセプタクル１４に接続されるコネクタもＳＣコネクタ等からＬＣコネクタ等のより小さなコネクタが使用されている。
【０００７】
そこで図６に示すように、フェルール１７の貫通孔に光ファイバ１８を挿入固定したファイバスタブ１６、ファイバスタブ１６の先端面に接続されるプラグフェルール１５を把持するためのスリーブ１９、スリーブ１９の一方の開放端部外周に圧入され、スリーブ１９の自由な変形を拘束する把持リング２５からなる光レセプタクル２６が提案された（特許文献２参照）。このような把持リング２５を用いることによって、ファイバスタブ１６がスリーブ１９に保持されている長さＬ２を短くしても十分なファイバスタブ１６の把持力を得ているものである。
【０００８】
上述の光レセプタクル２６を用いて光モジュールを構成する場合は、図７に示すように光レセプタクル２６のファイバスタブ１６を備えた後端面側に、光素子２２とレンズ２３を備えたケース２４を溶接により接合し、スリーブ１９の他方開放端側にプラグフェルール１５を挿入し、ファイバスタブ１６の先端面に当接させて光信号のやりとりがおこなわれている。
【０００９】
このとき、フェルール１７の外径は、ＳＣコネクタを接続するタイプのものがφ２．５ｍｍ程度、ＬＣコネクタを接続する小型タイプのものがφ１．２５ｍｍ程度、外径公差は±１μｍ以下で、その貫通孔に備えられた光ファイバ１８の外径は１２５μｍ程度、外径公差は±１μｍ程度とＪＩＳ規格やＩＥＣ規格等で規定されているが、従来から、光ファイバ１８の中心に形成された光信号を伝搬する直径１０μｍ程度のコア（不図示）同士を損失の少ない接続とするため、それぞれの部品（スリーブ１９、フェルール１７等）は高精度に加工されており、スリーブ１９によってファイバスタブ１６及びプラグフェルール１５を安定且つ高精度に把持する構造となっている。
【００１０】
なお、上記ファイバスタブ１６における光ファイバ１８の端面は、当接時の接続損失を減らすために曲率半径５〜３０mm程度の曲面に鏡面研磨されており、反対側の端面は、光素子２２から出射された光信号が光ファイバ１８の先端部で反射して光素子に戻る反射光を防止するため、光ファイバ１８を挿通するフェルール１７とともに４〜１０°程度の傾斜面に鏡面研磨されている。
【特許文献１】特開２００１−６６４６８号公報
【特許文献２】特許第３３１４６６７号公報
【発明の開示】
【発明が解決しようとする課題】
【００１１】
しかしながら、図５に示す従来の光レセプタクル１４の場合、小型化の要求に応えるためＳＣコネクタのφ２．５ｍｍフェルール１７からＬＣコネクタのφ１．２５ｍｍフェルール１７に寸法を変更した場合、フェルール１７の外径が小さくなることに伴いフェルール１７の外径面積は約１／２に減少するため、ホルダ２０とファイバスタブ１６の接触面積が大きく減少し、固定強度が非常に小さくなり、しかもスリーブ１９にはスリットが入っているために、光コネクタ接続時にプラグフェルール１５に横荷重がかかった際に、ファイバスタブ１６がスリーブ１９に保持されずにぐらついてしまい、接続損失の再現性を悪くしてしまうという問題があった。
【００１２】
また、図６に示すような光レセプタクル２６の場合、把持リング２５がスリーブ１９の自由な変形を拘束するため、プラグフェルール１５をスリーブ１９に挿入、抜去した際のスリーブ１９の変形が不均一となるので挿入力、抜去力が不安定となり、着脱性が悪くなるという問題があった。
【００１３】
さらに、ファイバスタブ１６がスリーブ１９に保持されている長さＬ２を短くしているため、固定強度が非常に小さくなり、光コネクタ接続時にプラグフェルール１５に横荷重がかかった際に、ファイバスタブ１６がスリーブ１９に把持されずにぐらついてしまい、接続損失の再現性を悪くしてしまうという問題があった。
【００１４】
またさらに、把持状態が不安定であるため、相互の光ファイバ接続部にすべりが生じ、光ファイバ１８の端面に傷をつけることがあり、光信号の導入導出が不能になる問題があった。
【課題を解決するための手段】
【００１５】
上記に鑑みて本発明の光レセプタクルは、フェルールの貫通孔に光ファイバを固定したファイバスタブと、該ファイバスタブの先端部が一方の開放端部から挿入されるとともに、他方の開放端部からプラグフェルールの先端側を挿入して上記ファイバスタブの先端面に当接・把持させるためのスリーブとを備えた光レセプタクルにおいて、上記スリーブに、他方の開放端部から長手方向の中央部にかけて、その幅が上記他方の開放端部よりも中央部が広いスリットが形成されていることを特徴とする。
【００１６】
また、上記スリットの幅が上記ファイバスタブの先端付近で広くなっていることを特徴とする。
【００１７】
更には、上記スリットの幅が、上記ファイバスタブの先端位置から該ファイバスタブの先端部に当接するプラグフェルールの先端周縁部に形成されたＣ面の開始位置にかけて広くなっていることを特徴とする。
【００１８】
しかも、上記スリーブの内径を、上記ファイバスタブの挿入領域と上記プラグフェルールの挿入領域とで異ならせたことを特徴とする。
【００１９】
そして、上記スリーブとファイバスタブは圧入もしくは接着により固定することを特徴とする。
【００２０】
また、上記スリーブにジルコニアセラミックスを用いたことを特徴とする。
【００２１】
更に、上記光レセプタクルの上記ファイバスタブの後端部から光信号を出射する光素子を収納したケースを取り付けたことを特徴とする。
【発明の効果】
【００２２】
以上のように、本発明の光レセプタクルによれば、スリーブの他方の開放端部から長手方向の中央部にかけて、その幅が上記他方の開放端部よりも中央部が広いスリットを形成することにより、プラグフェルールを挿入する際に、スリーブの他方の開放端側の内径の拡径による応力をファイバスタブまで伝えることがなくなり、スリーブの一方の開放端側のファイバスタブへの把持力を変動させることなく、実使用においてプラグフェルールとファイバスタブの位置関係を安定させることができ接続損失の変動がなくなる。
【発明を実施するための最良の形態】
【００２３】
以下、本発明の実施の形態を図面にもとづいて説明する。
【００２４】
図１は、本発明の光レセプタクル７の一実施形態を示す断面図であり、本発明の光レセプタクル７は、フェルール２の貫通孔に光ファイバ３を挿入固定したファイバスタブ１と、ファイバスタブ１の先端部を一方の開放端部から挿入するとともに、他方の開放端部から挿入されたプラグフェルール１０をファイバスタブ１の先端面に当接し、かつ、把持するためのスリーブ４とを備えたものである。しかも、上記スリーブ４のスリット４ｃが他方の開放端部４ｂより長手方向に中央部４ｅまで設けられており、一方の開放端４ａにまで貫通しておらず、上記スリット４ｃは上記中央部４ｅにて幅が広くなった幅広部４ｄを有することを特徴とする。
【００２５】
ここで、上記幅広部４ｄはファイバスタブ１の先端部８付近であることが望ましく、一方の開放端４ａ側にあっても、他方の開放端４ｂ側にあってもよい。また、プラグフェルール１０の先端部分はスリーブ４への挿入口のためにＣ面形状となっているので、スリーブ４には当接しないので、更に好ましくはファイバスタブ１の先端部８からプラグフェルール１０のＣ面部分の開始点にかけて幅広部４ｄを形成することが望ましい。
【００２６】
このような構成とすることにより、プラグフェルールを挿入する際に、スリーブ４の他方の開放端４ｂ側の内径の拡径にかかる応力の影響をファイバスタブ１まで伝わらなくなり、スリーブ４の一方の開放端４ａ側のファイバスタブ１への把持力を変動させることなく、実使用においてプラグフェルールとファイバスタブ１の位置関係を安定させることができ接続損失の変動がなくなる。
【００２７】
例えば、プラグフェルールの外径がファイバスタブ１の外径よりも小さい場合には、プラグフェルールに対するスリーブ４の把持力は小さくなるが、本発明の幅広部４ｄを有することにより把持力の低下を防ぐことが可能となる。
【００２８】
少なくともスリーブ４の他方の開放端４ｂ側の内径は挿入されるプラグフェルール１０に対して数ミクロン小さい径に形成されており、スリット４ｃを有することにより、スリーブ４内に挿入されるプラグフェルール１０に対してバネによる把持力が作用する。
【００２９】
本発明の光レセプタクル７に用いるスリーブ４は、一例としてプラグフェルール１０の外径を２．４９９ｍｍとした時に、スリーブ４の少なくとも他方の開放端４ｂ側の内径を２．４９３ｍｍ程度と設定しておき、プラグフェルール１０が挿入されることにより内径が約６μｍ拡径するためにスリーブ４のファイバスタブ１が挿入されている部分にも拡径の影響を与える。
【００３０】
即ち、スリーブ４の中央部４ｅの好ましくはファイバスタブ先端部８付近のスリット４ｃの幅が広くなった幅広部４ｄを有することにより、プラグフェルール１０の挿入による拡径の影響をなくすことが可能となる。
【００３１】
図２にスリット４ｃの幅広部４ｄが広くなる位置を示す。なお、プラグフェルール１０を仮想線の２点鎖線で示し、スリット４ｃと幅広部４ｄが確認できるように記載している。スリット４ｃの幅広部４ｄが、上記ファイバスタブ１の先端から上記プラグフェルール１０がファイバスタブ１の先端部８に当接するプラグフェルール１０の先端周縁部に形成されたＣ面の開始位置１０ａにかけて広くなっている。
【００３２】
ここで、Ｃ面の開始位置１０ａよりスリーブの他方の開放端４ｂ側にまで幅広部４ｄがくると、プラグフェルール１０の把持部分が少なくなりプラグフェルール１０を完全に把持することが困難となるので好ましくない。
【００３３】
このように、スリーブ４にプラグフェルール１０が挿入され、プラグフェルール１０に横荷重がかかっても、スリーブ４のファイバスタブ１が挿入されている部分に影響を与えることなく、強くプラグフェルール１０を把持することになり、プラグフェルール１０にかかる横荷重に対して十分な耐力を有することが可能となる。
【００３４】
この結果、プラグフェルールを挿入する際に、スリーブ４の他方の開放端４ｂ側の内径の拡径による応力の影響をファイバスタブ１まで伝えることがなくなり、スリーブ４の一方の開放端４ａ側のファイバスタブ１への把持力を変動させることなく、実使用においてプラグフェルールとファイバスタブ１の位置関係を安定させることができ接続損失の変動がなくなる。
【００３５】
次に、本発明の光レセプタクルに用いるスリーブ４の構造について図２を用いて様々な構造を説明する。
【００３６】
図３（ａ）のスリーブ４は外周面が長手方向に直線状（円筒状）の同一径であり、スリット４ｃが長手方向の他方の開放端４ｂから中央部４ｅに向けて形成され、一方の開放端４ａまでは到達しないで形成されており、スリット４ｃの中央部４ｅ端部にはスリット幅の広い幅広部４ｄが形成されている。
【００３７】
次に、図３（ｂ）のスリーブ４は図３（ａ）と同様であるが、幅広部４ｄが円弧形状であり、また図３（ｃ）のスリーブ４も図３（ａ）と同様であるが、幅広部４ｄの一方の開放端４ａ側に更にスリット４ｃの一部が形成されているものであり、また図３（ｄ）のスリーブ４も図３（ａ）と同様であるが、スリット４ｃの幅が他方の開放端４ｂから中央部４ｅに向けて順次幅が広くなっているものである。
【００３８】
また、図３（ｅ）、（ｆ）はスリーブ４の内周が一方の開放端４ａ側で径が小さい場合と大きい場合である。この場合はともに、スリーブ４の内周が一方の開放端４ａ側はファイバスタブを固定するので、固定方法により異なるがファイバスタブの外径寸法に合わせて設定する必要がある。
【００３９】
次に、図３（ｇ）はスリーブ４の外周が一方の開放端４ａ側で径が大きい場合である。この場合、特にファイバスタブを圧入にて固定するときに、外径内径差である肉厚が薄いので、特にセラミックスを用いた場合に脆性材料であるために、破壊が生じることがあるのでその防止策として外径を大きくするものである。
【００４０】
以上の本発明の他の実施形態においても、プラグフェルールを挿入する際に、スリーブ４の他方の開放端４ｂ側の内径の拡径による応力の影響をファイバスタブ１まで伝えることがなくなり、スリーブ４の一方の開放端４ａ側のファイバスタブ１への把持力を変動させることなく、実使用においてプラグフェルールとファイバスタブ１の位置関係を安定させることができ接続損失の変動がなくなる。
【００４１】
尚、本発明のスリーブ４の材質は弾性を有しバネが作用するものであれば良いが、例えば、燐青銅、ベリリウム銅、黄銅、ステンレス等の他の金属やエポキシ、液晶ポリマー等プラスチック、セラミック等を使用することが出来る。
【００４２】
この中でも特に、ジルコニアセラミックスで形成することが好ましい。具体的には、ＺｒＯ2を主成分とし、Ｙ2Ｏ3、ＣａＯ、ＭｇＯ、ＣｅＯ2、Ｄｙ2Ｏ3などの少なくとも一種を安定化剤として含み、正方晶の結晶を主体とする部分安定化ジルコニアセラミックスを用いることが好ましく、このような部分安定化ジルコニアセラミックスは、優れた耐摩耗性を有するとともに、適度に弾性変形することから有利である。
【００４３】
上記スリーブ４の加工方法としては、例えばジルコニアセラミックスから形成する場合、予め射出成形、プレス成形、押出成形等の所定の成形法によってスリーブとなる円筒状の成形体を得、その後、その成形体を１３００〜１５００℃で焼成し、所定の寸法に研削加工または研磨加工を施す。なお、成形体に切削加工等によって予め所定の形状を形成しておき、その後焼成を行ってもよい。
【００４４】
この中で、幅広部４ｄは焼成前でも焼成後でも切削や研削にて加工することが可能であり、また、成形段階で金型の組み合わせにより形成しておくことでも本発明の効果を奏することができる。
【００４５】
また、プラスチックス製とした場合は金型を工夫すればいかなる形状でも容易に製造することが出来る。
【００４６】
ここで、スリーブ４とファイバスタブ１は圧入もしくは接着により固定することが望ましい。これにより、本発明の構成であるスリーブ４のスリット４ｃが他方の開放端４ｂより長手方向に中央部４ｅまで設けられており、上記スリット４ｃの幅が上記中央部４ｅで広くすることにより、スリーブ４にプラグフェルール１０が挿入され、該プラグフェルール１０に横荷重がかかっても、スリーブ４のファイバスタブ１が挿入されている部分に影響を与えることなく、強くプラグフェルール１０を把持することになり、プラグフェルール１０にかかる横荷重に対して十分な耐力を有することが可能となる。
【００４７】
上記フェルール２に光ファイバ３を接着固定したファイバスタブ１の先端面８は、プラグフェルール１０との接続損失を低減させるため曲率半径５〜３０mm程度の曲面状に加工され、ファイバスタブ１の後端面９はＬＤ（レーザダイオード）等の光素子から出射された光信号が光ファイバ３の端面で反射して光素子に戻る反射光を防止するため４〜１０°程度の傾斜面に鏡面研磨されている。
【００４８】
また、スリーブケース６は、後述のホルダ５と安定して接続させるためのものであり、耐摩耗性、溶接性を配慮する必要がないため、ステンレス、銅、鉄、ニッケル、プラスチック、ジルコニア、アルミナなどの幅広い材料が用いられるが、主にはホルダ５と熱膨張係数を合わせ、信頼性を高めるため、ホルダ５と同様、ステンレスが用いられる。
【００４９】
ホルダ５はファイバスタブ１の一方端部がスリーブケース６に収納されたスリーブ４に挿入固定された状態で、そのスリーブケース６の外周に嵌り込んで収納する円筒状の収納部５ａと、その収納部５ａのほぼ中心に形成しファイバスタブ１の他方端部が固定される貫通孔を有するファイバスタブ固定部５ｂとから成る。
【００５０】
ホルダ５は光モジュールとして図４の光素子１１等を収納するケース１３と溶接することが多いため、ステンレス、銅、鉄、ニッケルなどの溶接が可能な材料が用いられるが、主には耐腐食性と溶接性を考慮して、ステンレスが用いられる。
【００５１】
なお、ファイバスタブ１がファイバスタブ固定部５ｂへ固定される固定方法としては、圧入しても良く、接着しても良い。さらに、圧入と接着を併用することによって固定しても構わない。いずれの場合も、ファイバスタブ１の外径をホルダ５のファイバスタブ固定部の内径よりも１〜２０μｍ大きくすることが望ましく、この場合にＬＣコネクタに使用されるφ１．２５ｍｍフェルールにおいても、ファイバスタブ１の固定強度をより適正に保つことができる。
【００５２】
また、ホルダ５のファイバスタブ固定部５ｂの内周面の算術平均粗さ（Ｒａ）を０．１μｍより小さくすることは加工上非常に困難であり、また加工したとしてもコストが大幅に増大するため表面粗さは０．１μｍ以上あることが好ましい。
【００５３】
かくして、本発明の構成によれば、フェルールの貫通孔に光ファイバを挿入固定したファイバスタブと、該ファイバスタブの先端部を一方の開放端部から挿入するとともに、他方の開放端部から挿入されたプラグフェルールを上記ファイバスタブの先端面に当接し、かつ、把持するためのスリーブとを備えた光レセプタクルにおいて、上記スリーブのスリットが他方の開放端部より長手方向に中央部まで設けられており、上記スリットの幅が上記中央部で広くすることにより、プラグフェルールを挿入する際に、スリーブ４の他方の開放端４ｂ側の内径の拡径による応力の影響をファイバスタブ１まで伝えることがなくなり、スリーブ４の一方の開放端４ａ側のファイバスタブ１への把持力を変動させることなく、安定した保持状態とすることができるため、スリーブの他方開放端部の把持力がファイバスタブを把持した一方開放端部の把持力に拘束されず十分にプラグフェルールに伝わり、プラグフェルールとファイバスタブの位置関係を安定させることができ接続損失の変動がなくすことが可能となる。
【００５４】
更には、安定した保持状態であるため、相互の光ファイバ接続部にすべりが生じることなく、光ファイバ３の端面を痛めず、光信号の導入導出に於ける信頼性を向上させることができる。
【００５５】
なお、図１に示す本発明の光レセプタクル７を用いて光モジュールを構成する場合は、図４に示すように光レセプタクル７のファイバスタブ１を備えた後端側に、光素子１１とレンズ１２を備えたケース１３を溶接等により接合し、光素子１１からの光信号をファイバスタブ２に出射可能に構成するとよい。
【実施例】
【００５６】
本発明の図４に示す光レセプタクル７を用いた光モジュールと、比較例として図４に示す光レセプタクル１４を用いた光モジュールとを各１０個試作した。共にファイバスタブ１はジルコニアセラミックス製のフェルールにシングルモード光ファイバ３を接着固定し、その外径はφ２．５ｍｍとし、光レセプタクル７のファイバスタブ２備えた一方側に、光素子１１とレンズ１２を備えたケース１３をＹＡＧ溶接して光モジュールを完成した。
【００５７】
本発明の光レセプタクル７に用いたスリーブ４の内径をφ２．４９３ｍｍ、厚みを０．４５ｍｍ、スリット幅を０．５ｍｍ、幅広部のスリット幅を０．８ｍｍとした。また従来の光レセプタクル１４に用いたスリーブ１９の内径をφ２．４９３ｍｍ、厚みを０．４５ｍｍ、スリット幅０．５ｍｍとして一方の開放端から他方の開放端へ貫通させた形状とし、共にジルコニアセラミックスを用いた。
【００５８】
上記本発明と従来例の光モジュールにプラグフェルール１０、１５を挿入して、プラグフェルール１０、１５の後部に３Ｎの荷重をかけて接続損失の変動値を確認した。
【００５９】
その平均値の結果を、表１に示す。
【表１】
2005181903.tif 000003
【００６０】
以上より、従来例での光モジュールの接続損失の変動値は０．６４ｄＢであり、これに対し、本発明の光モジュールにおける接続損失の変動値は０．１４ｄＢとかなり変動値が少なくなるという結果となった。
【００６１】
これにより、安定した保持状態を保つことが可能となり、プラグフェルール１０とファイバスタブ２との相互の光ファイバ接続部にすべりが生じることなく、光ファイバ３の端面を痛めず、光信号の導入導出に於ける信頼性を向上させることができた。
【図面の簡単な説明】
【００６２】
【図１】本発明の光レセプタクルの一実施形態を示す中央断面図である。
【図２】本発明の光レセプタクルの一実施形態を示す中央断面図である。
【図３】（ａ）〜（ｇ）は本発明のスリーブの様々な形状を示す断面図である。
【図４】本発明の光モジュールの一実施形態を示す中央断面図である。
【図５】従来の光モジュールを示す中央断面図である。
【図６】従来の他の光レセプタクルを示す中央断面図である。
【図７】従来の他の光モジュールを示す中央断面図である。
【符号の説明】
【００６３】
１：ファイバスタブ
２：フェルール
３：光ファイバ
４：スリーブ
４ａ：一方の開放端
４ｂ：他方の開放端
４ｃ：スリット
４ｄ：幅広部
４ｅ：中央部
５：ホルダ
５ａ：収納部
５ｂ：固定部
６：スリーブケース
７：光レセプタクル
８：ファイバスタブの先端面
９：ファイバスタブの後端面
１０：プラグフェルール
１１：光素子
１２：レンズ
１３：ケース
１４：光レセプタクル
１５：プラグフェルール
１６：ファイバスタブ
１７：フェルール
１８：光ファイバ
１９：スリーブ
２０：ホルダ
２１：スリーブケース
２２：光素子
２３：レンズ
２４：ケース
２５：把持リング
２６：光レセプタクル
【図１】
2005181903.tif 000004
【図２】
2005181903.tif 000005
【図３】
2005181903.tif 000006
【図４】
2005181903.tif 000007
【図５】
2005181903.tif 000008
【図６】
2005181903.tif 000009
【図７】
2005181903.tif 000010